(57)【要約】      （修正有）【課題】粒子内のマクロ細孔性度及びマクロ細孔性のサイズ分散を制御して低い密度と良好な機械強度を有する、球状アルミナ粒子及び調製方法並びに担体として前記粒子を含む触媒、及び触媒的炭化水素処理方法、特に、接触改質方法におけるそれらの使用方法の提供。【解決手段】ＢＥＴ比表面積が１５０〜３００ｍ２／ｇの範囲内であり、平均粒子径が１．２〜３ｍｍの範囲内であり、標準偏差として表される粒子径分散が０．１を超えず、水銀ポロシメトリによって測定される全細孔容積が０．５０〜０．８５ｍＬ／ｇであり、粒子内のマクロ細孔性度が３０％未満であり、比Ｄ９０／Ｄ５０として表されるマクロ細孔の径の分散が８を超えない球状アルミナ粒子。安定充填密度についての値が０．４〜０．８ｇ／ｍＬであり、平均粒子圧潰密度値が少なくとも２５Ｎであることが好ましい球状アルミナ粒子。【選択図】なし【特許請求の範囲】
【請求項１】
ＢＥＴ比表面積が１５０〜３００ｍ２／ｇの範囲内であり、平均粒子径が１．２〜３ｍｍの範囲内であり、標準偏差として表される粒子径の分散が０．１を超えず、水銀ポロシメトリによって測定される全細孔容積が０．５０〜０．８５ｍＬ／ｇの範囲内であり、粒子内のマクロ細孔性度が３０％未満であり、比Ｄ９０／Ｄ５０として表されるマクロ細孔の径の分散が８を超えないことを特徴とする球状アルミナ粒子。
【請求項２】
安定充填密度についての値が０．４〜０．８ｇ／ｍＬの範囲内である、請求項１に記載の球状アルミナ粒子。
【請求項３】
平均粒子圧潰強度値が少なくとも２５Ｎである、請求項１または２に記載の球状アルミナ粒子。
【請求項４】
水銀ポロシメトリによって測定される全細孔容積は、０．６０〜０．８５ｍＬ／ｇの範囲内である、請求項１〜３のいずれか１つに記載の球状アルミナ粒子。
【請求項５】
径の比Ｄ９０／Ｄ５０として表されるマクロ細孔の径の分散は、６を超えない、請求項１〜４のいずれか１つに記載の球状アルミナ粒子。
【請求項６】
請求項１〜５のいずれか１つに記載の球状アルミナ粒子の製造方法であって、
以下の工程：
ａ）  水、酸および少なくとも１種のベーマイト粉体を含む懸濁液を調製する工程、
ｂ）  ０．０５〜３０μｍの範囲内の粒子サイズを有する固体細孔形成剤を工程ａ）において得られた懸濁液に加える工程、
ｃ）  工程ｂ）において得られた懸濁液を混合して、前記混合物の粘度が、２００〜７００ｍＰａ・ｓの範囲内であるようにする工程、
ｄ）  工程ｃ）において得られた混合物を用いるドロップ凝固によって球状粒子に形付けする工程、
ｅ）  工程ｄ）において得られた粒子を乾燥させる工程、
ｆ）  工程ｅ）において得られた粒子を焼成する工程
を含む、方法。
【請求項７】
固体細孔形成剤は、デンプン、小麦粉、ラテックス、ポリスチレンまたはアクリル粒子、ポリサッカライド、カーボンブラック粒子およびおがくずから選択される、請求項６に記載の方法。
【請求項８】
酸化物の全質量に対する細孔形成剤の質量の比として表される固体細孔形成剤の割合が０．２〜５０重量％の範囲内である、請求項６または７に記載の方法。
【請求項９】
請求項１〜５のいずれか１つに記載の球状アルミナ粒子の製造方法であって、
以下の工程：
ａ）  水、酸および少なくとも１種のベーマイト粉体を含む懸濁液を調製する工程、
ｂ’）  少なくとも１種の液体細孔形成剤、少なくとも１種の界面活性剤および場合による水を、または、少なくとも１種の液体細孔形成剤、少なくとも１種の界面活性剤および水を含むエマルジョンを、工程ａ）において得られた懸濁液に加える工程、
ｂ”）  １０００〜２０００００ｓ−１の範囲内のせん断速度で機能する分散機を活用して工程ｂ’）において得られた懸濁液を分散させる工程、
ｃ）  工程ｂ”）において分散させられた懸濁液を混合して、前記混合物の粘度が２００〜７００ｍＰａ・ｓの範囲内にあるようにする工程、
ｄ）  工程ｃ）において得られた混合物を用いるドロップ凝固によって球状粒子に形付けする工程、
ｅ）  工程ｄ）において得られた粒子を乾燥させる工程、
ｆ）  工程ｅ）において得られた粒子を焼成する工程
を含む、方法。
【請求項１０】
液体細孔形成剤は、グリース、油および鉱物蝋、脂肪、炭化水素およびオイルカットから選択され、界面活性剤は、非イオン性またはイオン性の界面活性剤から選択される、請求項９に記載の方法。
【請求項１１】
液体細孔形成剤の質量対酸化物の全質量の比として表される液体細孔形成剤の割合が０．２〜５０重量％の範囲内であり、界面活性剤の質量対細孔形成剤の質量の比に等しいとして規定される界面活性剤の割合が１〜２５重量％の範囲内である、請求項９または１０に記載の方法。
【請求項１２】
０．０５〜３０μｍの範囲内の粒子サイズを有する少なくとも１種の固体細孔形成剤も、工程ｂ’）の懸濁液に加えられる、請求項９〜１１のいずれか１つに記載の方法。
【請求項１３】
工程ａ）の懸濁液は、５０μｍ以下の体積測定中位径を有する粒子によって構成されるアルミナまたはアルミナ前駆体のチャージをさらに含む、請求項６〜１２のいずれか１つに記載の方法。
【請求項１４】
請求項１〜５のいずれか１つに記載の粒子または請求項６〜１３のいずれかに記載されたように調製された粒子によって形成された担体と、周期律表の第ＶＩＩＩ族から選択された１種以上の貴金属とを含む触媒。
【請求項１５】
第ＩＡ族、第ＩＩＡ族、第ＩＩＩＡ族、第ＩＶＡ族、第ＶＡ族およびフッ素、塩素、臭素およびヨウ素によって構成される群から選択される１種以上の元素をさらに含む、請求項１４に記載の触媒。
【請求項１６】
接触改質反応を行うための、請求項１４または１５に記載の触媒の使用。
【発明の詳細な説明】
【技術分野】
【０００１】
本発明は、触媒のための担体としての使用のための球状アルミナ粒子およびこのタイプの粒子の調製方法に関する。
【０００２】
本発明はまた、このタイプの粒子を担体として含む触媒および接触炭化水素処理方法、特に、接触改質方法におけるそれらの使用に関する。
【背景技術】
【０００３】
本発明は、「ドロップ凝固（drop coagulation）」として知られている（オイルドロップとしても知られている）方法によって得られる、接触改質における適用のための球状アルミナ粒子に関する。
【０００４】
多孔質触媒担体としての使用のための球状アルミナ粒子は、当業者に周知である。
【０００５】
例として、特許文献１には、オイルドロップ方法として知られている方法を用いてこのタイプの粒子を製造する方法が記載されている。
【０００６】
この技術の原理は、アルミナ（ベーマイト）の水性ゾルを調製することとノズルを通じてアルミナゾルを微細液滴において、水に混和性でない上相と下方の水相とを含むカラムに滴下することとからなる。粒子がこのように形付けされるのは、それらが、水と混和性でない相を通り抜け、次いで、水相中で凝固するからである。一旦集められたところで、粒子は、洗浄され、乾燥させられ、焼成される。球状アルミナ粒子は、こうして得られる。
【０００７】
このタイプの球状粒子の合成の間に制御されるべき特に重要なパラメータは、密度、細孔容積および細孔分布を含む。それらは、これらの粒子の最終的な使用に影響を及ぼすからである。粒子のサイズが可及的に均質であることも、流体のように触媒が流れることを確実にするために、特に移動床において行われる触媒適用において重要である。
【０００８】
これらの粒子は、通常、メソ細孔性およびマクロ細孔性のテクスチャ（texture）を有している。メソ細孔性は、ベーマイト板状晶の組織化に由来する一方で、マクロ細孔性は、細孔形成剤を用いる犠牲的な方法で生じさせられる。これらの担体におけるメソ細孔の存在は、触媒反応がスムーズに進むことを確実にすることにおいて必須の要因である。マクロ細孔に関して、特許文献２から、粒子の密度を低減させるために、アルミナゾルに細孔形成剤を加えることが可能であることが知られている。粒子の形成の間に、これらの細孔形成剤（これらは続いて焼成工程の間に除去される）により、粒子中にマクロ細孔が作り上げられる。このマクロ細孔性は、細孔容積を増加させ、それ故に、粒子の密度を低減させるという効果を有する。
【０００９】
しかしながら、このマクロ細孔性が制御されないならば、それは、担体の機械強度、特に、低密度担体の機械強度に悪影響を有するかもしれない。
【００１０】
機械強度（特に、圧潰・摩耗強度）は、触媒作用においてアルミナ粒子を用いることを想定する場合に考慮されるべき極めて重大なパラメータである。事実上、例えば移動床において用いられる場合、アルミナの粒子は、衝撃と摩擦の現象に付され、これらは、設備またはフィルタを閉塞させるおそれがある微細粒子および／または破片の形成を引き起こし得、さらに、触媒反応器に充填された触媒の一部の喪失に寄与する。
【００１１】
特許文献３には、オイルドロップ方法とは異なる調製方法によって調製されたマクロ細孔性の球状アルミナ粒子が記載されている。この方法では、Ｗ／Ｏエマルジョン（水／油エマルジョン、すなわち、油相中水相タイプのエマルジョン）が調製される。エマルジョンは、次いで、撹拌・加熱されて、油相中のアルミナゾルを粒子にゲル化させる。こうして形成された粒子は、次いで、分離され、成熟させられ、乾燥させられ、焼成される。
【００１２】
アルミナ粒子のマクロ細孔は、サイズにおいて均一であり、１μｍ未満の範囲内に制御され得、球状粒子は、制御可能なサイズを有し、高い機械強度を有している。より特定的には、記載された球状アルミナ粒子の比表面積は、１００〜３５０ｍ２／ｇの範囲内であり、全細孔容積は、０．５〜１．５ｍＬ／ｇの範囲内であり、中位マクロ細孔径は、０．０５〜１μｍ（５０〜１０００ｎｍ）の範囲内であり、粒子径は、０．１〜５ｍｍの範囲内であり、機械強度は、７０〜１５０Ｎの範囲内である。これらの粒子は、触媒担体、吸着剤、クロマトグラフィー充填剤、電極または遮音・断熱材料として用いられ得るとして記載されている。しかしながら、当該文献は、接触改質触媒のための担体としての粒子の特定の使用を想定しておらず、当該文献は、粒子サイズにおける均質性の重要性も粒子内のマクロ細孔性度を制限することの重要性も記載していない。
【００１３】
特許文献４には、触媒担体適用のためのオイルドロップ技術によって調製される球状アルミナ粒子であって、メソ細孔性およびマクロ細孔性のテクスチャを有し、機械強度を増強させるようにマクロ細孔容積が、メソ細孔容積と比べて低いものが開示されている。より特定的には、球状アルミナ粒子は、窒素吸着等温線から決定されるアクセス可能な容積（Ｖｍｅｓｏと称され、これは、メソ細孔容積を表し、０．６５〜０．８５ｍＬ／ｇの範囲内である）と、７μｍ未満の径を有する細孔の容積（Ｖｍｅｓｏ＋ｍａｃｒｏと称され、水銀ポロシメトリによって測定され、０．６５〜０．８５ｍＬ／ｇの範囲内である）を含み、前記粒子の平均径は、１．２〜３ｍｍの範囲内であり、ＢＥＴ比表面積は、１５０〜３００ｍ２／ｇの範囲内であり、安定充填密度（settled packing density：ＳＰＤ）は、０．５〜０．６ｇ／ｍＬの範囲内である。球状アルミナ粒子の平均粒子圧潰強度（grain crushing strength）は、一般的には、少なくとも２．５ｄａＮ（２５Ｎ）である。しかしながら、マクロ細孔性のサイズ分散は、制御されない。
【先行技術文献】
【特許文献】
【００１４】
【特許文献１】米国特許第２４２２４９９号明細書
【特許文献２】仏国特許出願公開第１５０３４９５号明細書
【特許文献３】中国特許第１０２３１１３４号明細書
【特許文献４】国際公開第２０１３／０９３２２１号
【発明の概要】
【発明が解決しようとする課題】
【００１５】
（発明の概要）
本発明の目的は、メソ細孔性およびマクロ細孔性のテクスチャを有する均質なサイズを有する球状アルミナ粒子であって、マクロ細孔性は、小さいサイズ分散を有し、細孔容積は、主としてメソ細孔である、粒子を提案することにある。これらの粒子は、改善された機械強度を有している。
【００１６】
実際に、マクロ細孔性を制御すること、特に、粒子内のマクロ細孔性度を制御することおよびマクロ細孔性のサイズ分散を制御することは、２つの対照的な特徴、すなわち、所望の密度、特に、低い密度と良好な機械強度を有するアルミナ粒子の製造のために重要である。
【課題を解決するための手段】
【００１７】
より特定的には、本発明は、球状アルミナ粒子であって、ＢＥＴ比表面積が１５０〜３００ｍ２／ｇの範囲内であり、平均粒子径が１．２〜３ｍｍの範囲内であり、標準偏差として表される粒子径分散が０．１を超えず、水銀ポロシメトリによって測定される全細孔容積が０．５０〜０．８５ｍＬ／ｇの範囲内であり、粒子内のマクロ細孔性度が３０％未満であり、比Ｄ９０／Ｄ５０として表されるマクロ細孔の径の分散が８を超えないことを特徴とする粒子に関する。
【００１８】
バリエーションにおいて、安定充填密度（ＳＰＤ）の値は、０．４〜０．８ｇ／ｍＬの範囲内である。
【００１９】
バリエーションにおいて、平均粒子圧潰強度値（ＧＣＳ）は、少なくとも２５Ｎである。
【００２０】
バリエーションにおいて、水銀ポロシメトリによって測定される全細孔容積は、０．６０〜０．８５ｍＬ／ｇの範囲内である。
【００２１】
バリエーションにおいて、径の比Ｄ９０／Ｄ５０として表される、マクロ細孔の径の分散は、６を超えない。
【００２２】
本発明の球状アルミナ粒子において観察される特定の細孔分布は、主として、固体細孔形成剤または液体細孔形成剤のいずれかを用いるそれらの調製方法に起因する。
【００２３】
それ故に、第１のバリエーションによると、本発明は、本発明による球状アルミナ粒子の調製方法であって、以下の工程：
ａ）  水、酸および少なくとも１種のベーマイト粉体を含む懸濁液を調製する工程、
ｂ）  ０．０５〜３０μｍの範囲内の粒子サイズを有する固体細孔形成剤を、工程ａ）において得られた懸濁液に加える工程、
ｃ）  工程ｂ）において得られた懸濁液を混合して、前記混合物の粘度が２００〜７００ｍＰａ・ｓの範囲内であるようにする工程、
ｄ）  工程ｃ）において得られた混合物を用いたドロップ凝固によって球状粒子に形付けする工程、
ｅ）  工程ｄ）において得られた粒子を乾燥させる工程、
ｆ）  工程ｅ）において得られた粒子を焼成する工程
を含む、方法に関する。
【００２４】
このバリエーションによると、固体細孔形成剤は、好ましくは、デンプン、小麦粉、ラテックス、ポリスチレンまたはアクリル粒子、ポリサッカライド、カーボンブラック粒子およびおがくずから選択される。
【００２５】
このバリエーションによると、酸化物の全質量に対する細孔形成剤の質量の比として表される、固体細孔形成剤の割合は、好ましくは、０．２〜５０重量％の範囲内である。
【００２６】
第２のバリエーションによると、本発明は、本発明による球状アルミナ粒子の調製方法であって、以下の工程：
ａ）  水、酸および少なくとも１種のベーマイト粉体を含む懸濁液を調製する工程、
ｂ’）  少なくとも１種の液体細孔形成剤、少なくとも１種の界面活性剤および場合による水を、または少なくとも１種の液体細孔形成剤、少なくとも１種の界面活性剤および水を含むエマルジョンを、工程ａ）において得られた懸濁液に加える工程、
ｂ”）  １０００〜２０００００ｓ−１の範囲内のせん断速度で機能する分散機を活用して工程ｂ’）において得られた懸濁液を分散させる工程、
ｃ）  工程ｂ”）において分散させられた懸濁液を混合して、前記混合物の粘度が、２００〜７００ｍＰａ・ｓの範囲内であるようにする工程、
ｄ）  工程ｃ）において得られた混合物を用いるドロップ凝固によって球状粒子に形付けする工程、
ｅ）  工程ｄ）において得られた粒子を乾燥させる工程、
ｆ）  工程ｅ）において得られた粒子を焼成する工程
を含む、方法に関する。
【００２７】
このバリエーションによると、液体細孔形成剤は、好ましくは、グリース、油および鉱物蝋、脂肪、炭化水素およびオイルカットから選択され、界面活性剤は、非イオン性またはイオン性の界面活性剤から選択される。
【００２８】
このバリエーションによると、液体細孔形成剤の質量対酸化物の全質量の割合は、０．２〜５０重量％の範囲内であり、界面活性剤の割合（界面活性剤の質量対細孔形成剤の質量の比に等しいとして規定される）は、好ましくは１〜２５重量％の範囲内である。
【００２９】
このバリエーションによると、０．０５〜３０μｍの範囲内の粒子サイズを有する少なくとも１種の固体細孔形成剤が、工程ｂ’）の懸濁液に加えられてよい。
【００３０】
２つのバリエーションにおいて、工程ａ）の懸濁液は、５０μｍ以下の体積測定中位径を有する粒子によって構成されるアルミナまたはアルミナ前駆体のチャージをさらに含んでよい。
【００３１】
本発明はまた、本発明による粒子またはそれらの調製方法によって調製された粒子によって形成された担体と、周期律表の第ＶＩＩＩＢ族から選択される１種以上の貴金属とを含む触媒に関連する。
【００３２】
バリエーションにおいて、触媒は、第ＩＡ族、第ＩＩＡ族、第ＩＩＩＡ族、第ＩＶＡ族、第ＶＡ族およびフッ素、塩素、臭素およびヨウ素によって構成される群から選択される１種以上の元素をさらに含んでよい。
【００３３】
本発明はまた、接触改質反応を行うための本発明の触媒の使用に関連する。
【発明を実施するための形態】
【００３４】
（詳細な説明）
（球状アルミナ粒子）
本発明は、球状アルミナ粒子であって、ＢＥＴ比表面積が１５０〜３００ｍ２／ｇの範囲内であり、平均粒子径が１．２〜３ｍｍの範囲内であり、標準偏差として表される粒子径分散が０．１を超えず、水銀ポロシメトリによって測定される全細孔容積が０．５０〜０．８５ｍＬ／ｇの範囲内であり、粒子内のマクロ細孔性度が３０％未満であり、比Ｄ９０／Ｄ５０として表されるマクロ細孔の径の分散が８を超えないことを特徴とする粒子に関する。
【００３５】
用語「マクロ細孔」は、５０ｎｍ超の開口を有する細孔を意味する。
【００３６】
用語「メソ細孔」は、２〜５０ｎｍ（上限および下限を含む）の範囲内の開口を有する細孔を意味する。
【００３７】
用語「ミクロ細孔」は、２ｎｍ未満の開口を有する細孔を意味する。
【００３８】
本明細書の以降において、化学元素についての族は、ＣＡＳ分類を用いて与えられる（CRC Handbook of Chemistry and Physics, published by CRC press, editor in chief D.R. Lide, 81st edition, 2000-2001）。例として、ＣＡＳ分類における第VIII族は、新IUPAC分類のカラム８、９および１０からの金属に対応する。
【００３９】
本発明の球状アルミナ粒子のＢＥＴ比表面積は、１５０〜３００ｍ２／ｇの範囲内、好ましくは１５０〜２２０ｍ２／ｇの範囲内である。用語「ＢＥＴ比表面積」は、定期刊行物「The Journal of the American Society”, 60, 309, (1938)」において記載されたBRUNAUER-EMMETT-TELLER法をベースとするASTM規格D 3663-78に応じた窒素吸着によって決定される比表面積を意味する。
【００４０】
本発明の球状アルミナ粒子の平均粒子径は、１．２〜３ｍｍの範囲内、好ましくは１．４〜２ｍｍの範囲内、より好ましくは１．５〜１．９ｍｍの範囲内である。
【００４１】
本発明の球状アルミナ粒子の、水銀ポロシメトリによって測定される全細孔容積は、０．５０〜０．８５ｍＬ／ｇの範囲内、好ましくは０．６０〜０．８５ｍＬ／ｇの範囲内である。
【００４２】
全細孔容積は、ASTM規格D4284-12による水銀圧入ポロシメトリによって、４０００バール（４００ＭＰａ）の最大圧で、４８４ｄｙｎｅ／ｃｍの表面張力および１４０°の接触角を用いて測定される。水銀が粒子間空隙を全て満たす値は、０．２ＭＰａ以上に固定され、水銀がサンプルの細孔に浸透することが仮定される。用語「全細孔容積」は、水銀圧入ポロシメトリによって測定される１０μｍに至るまでの径を有する、メソ細孔の容積とマクロ細孔の容積との合計を意味する。
【００４３】
粒子内のマクロ細孔性度は、走査型電子顕微鏡画像の分析から決定され、細孔の全てが、０．０５〜３０μｍの範囲内の径を有することが仮定される。走査型電子顕微鏡は、マクロ細孔の数およびサイズを定量するために用いられ、例えば、ZEISS Supra40（登録商標）顕微鏡が用いられる。観察は、これらのサンプルの研磨された断面について、反射電子（backscattered electron）を用いて行われる（化学的コントラスト）。マクロ細孔サイズの分布を決定するための画像分析は、画像加工処理ソフトウェアを用いて、５つの異なるビーズから取られた５画像から出発して行われ、解像度は、２０４８＊１５３６ピクセルであった。定量方法は、５０倍の倍率でとられた画像から０．２〜３０μｍの範囲内のマクロ細孔の数およびサイズを決定するために用いられ得る。マクロ細孔の決定のためのこの方法は、一般的に、「小マクロ細孔定量化」として知られている方法によって完了させられるか、または、「小マクロ細孔定量化」と置き換えられ、この小マクロ細孔定量化は、２５００倍の倍率でとられた画像から、０．０５〜０．５μｍの範囲内のマクロ細孔の数およびサイズを決定するために用いられ得る。マクロ細孔の全表面積は、画像の表面積に規格化されて、pmacroで表記されるマクロ細孔性度が得られる。画像から明白なこのマクロ細孔性度は、粒子のマクロ細孔性の容積割合と同一であると考えられる。当業者は、粒子の全体の典型となるマクロ細孔性度を得るために十分に画像を分析することができるだろう。
【００４４】
本発明の球状アルミナ粒子の粒子内マクロ細孔性度は、有利には、全細孔容積の３０％未満、好ましくは２５％未満、より特定的に好ましくは２０％未満である。
【００４５】
本発明の球状アルミナ粒子の中位マクロ細孔径は、走査型電子顕微鏡を用いて眺めて、０．０５μｍ（５０ｎｍ）〜３０μｍ（３００００ｎｍ）の範囲内である。第１のバリエーションにおいて、特に、固体細孔形成剤が球状アルミナ粒子の調製のために用いられた場合、中位マクロ細孔径は、０．０５μｍ（５０ｎｍ）〜３０μｍ（３００００ｎｍ）、好ましくは１μｍ（１０００ｎｍ）〜５μｍ（５０００ｎｍ）の範囲内である。
【００４６】
第２のバリエーションにおいて、特に、液体細孔形成剤が球状アルミナ粒子を調製するために用いられた場合、中位マクロ細孔径は、好ましくは、０．０５μｍ（５０ｎｍ）〜２μｍ（２０００ｎｍ）の範囲内である。
【００４７】
中位マクロ細孔径（Ｄ５０とも称する）は、マクロ細孔容積を構成する細孔の全体から、この径未満のサイズを有する細孔の全てがマクロ細孔の数の５０％を構成する径として定義される。この径は、反射電子モードでの研磨断面の観察後に得られた走査型電子顕微鏡（scanning electron microscope：ＳＥＭ）画像を加工処理することによって決定される。
【００４８】
Ｄ９０径は、マクロ細孔容積を構成する細孔の全体から、この径未満のサイズを有する細孔の全てが、この同じ処理によって決定されるマクロ細孔の数の９０％を構成する径であるとして定義される。この径は、反射電子モードでの研磨断面の観察後に得られた走査型電子顕微鏡（ＳＥＭ）画像を加工処理することによって決定される。
【００４９】
本発明の一つの必須の特徴によると、比Ｄ９０／Ｄ５０によって表される、前記球状アルミナ粒子のマクロ細孔の径の分散は、８を超えず、好ましくは、６を超えず、一層より好ましくは４を超えない。特定の理論によって結び付けられることを望むことなく、球状アルミナ粒子に改善された機械強度を提供するのは、事実上、マクロ細孔のこの分散であり、このことが特に重要であるのは、それらが触媒反応における担体として用いられる場合である。
【００５０】
有利には、球状アルミナ粒子の安定充填密度（settled packing density：ＳＰＤ）値は、０．４〜０．８ｇ／ｍＬの範囲内、好ましくは０．５〜０．７ｇ／ｍＬの範囲内、特に好ましくは０．５〜０．６ｇ／ｍＬの範囲内である。ＳＰＤは、球状粒子を、容積がすでに決定されている標本に導入し、次いで、振動により、それらを容積が一定になるまで充填することによって測定される。安定化した物の見かけ密度は、導入された質量と充填後に占められた容積を比較することによって計算される。測定における不確実度は、一般的に、±０．０１ｇ／ｍＬ程度である。
【００５１】
それ故に、本発明の球状アルミナ粒子は、それらが触媒担体として用いられた場合に、高密度担体（例えば、約０．６〜０．７ｇ／ｍＬの安定充填密度を有するもの）として知られるアルミナ担体についての要求並びに低密度担体（例えば、約０．５〜０．６ｇ／ｍＬの安定充填密度を有するもの）として知られるアルミナ担体についての要求を満たすように用いられ得る。
【００５２】
好ましくは、前記粒子の安定充填密度（ＳＰＤ）についての値は、０．５〜０．６ｇ／ｍＬの範囲内である。
【００５３】
本発明の一つの目的は、触媒反応器における使用に満足な機械強度を有する球状アルミナ粒子を提案することにある。本発明の球状アルミナ粒子の平均粒子圧潰強度（grain crushing strength：ＧＣＳ）値は、有利には少なくとも２５Ｎ、好ましくは少なくとも３０Ｎである。
【００５４】
ＧＣＳについての値は、規格化試験（ASTM規格D4179-01）によって得られ、この規格化試験は、ミリメートル寸法の物体、例えば、本発明の場合ビーズを、破裂を発生させる圧縮力に付すことからなる。この試験は、材料の強度の間接的測定値を得るために用いられる。
【００５５】
分析は、個々に取られた所定数の粒子にわたって、典型的には、５０〜２００個の範囲内、好ましくは１００〜２００個の範囲内である多数の粒子にわたって繰り返される。測定された横方向の圧潰時の破裂力の平均は、平均ＧＣＳを構成し、これは、球状粒子の場合には力の単位（Ｎ）で表される。
【００５６】
（球状アルミナ粒子の調製方法）
本発明の球状アルミナ粒子において観察される特定の細孔分布は、主として、固体細孔形成剤または液体細孔形成剤のいずれかを用いるそれらの調製方法に起因する。
【００５７】
（固体細孔形成剤を用いるバリエーション）
それ故に、第１のバリエーションによると、本発明は、本発明による球状アルミナ粒子の調製方法であって、以下の工程：
ａ）  水、酸および少なくとも１種のベーマイト粉体を含む懸濁液を調製する工程、
ｂ）  ０．０５〜３０μｍの範囲内の粒子サイズを有する固体細孔形成剤を、工程ａ）において得られた懸濁液に加える工程、
ｃ）  工程ｂ）において得られた懸濁液を混合して、前記混合物の粘度が２００〜７００ｍＰａ・ｓの範囲内であるようにする工程、
ｄ）  工程ｃ）得られた混合物を用いるドロップ凝固によって球状粒子に形付けする工程、
ｅ）  工程ｄ）において得られた粒子を乾燥させる工程、
ｆ）  工程ｅ）において得られた粒子を焼成する工程
を含む、方法に関する。
【００５８】
上記調製方法の工程ａ）において、水、酸および少なくとも１種のベーマイト粉体を含む懸濁液が調製される。
【００５９】
用語「ベーマイト粉体」は、式ＡｌＯ（ＯＨ）を有し、粉体の形態にあり、アルミナゲルとしても知られているオキシ水酸化アルミニウムを意味する。ベーマイトは、種々のタイプで存在する。用いられるアルミナ前駆体は、一般式Ａｌ２Ｏ３・ｎＨ２Ｏを満たす。特に、アルミナの水和物、例えば、ハイドラーギライト、ギブサイト、バイヤライト、ベーマイトまたは擬ベーマイトおよび無定形または本質的に無定形なアルミナゲルが用いられてよい。あらゆる組合せにおけるこれらの生成物の混合物が採用されてもよい。
【００６０】
ベーマイト粉体の種類およびその固有の細孔容積に応じて、細孔形成剤の量は、適用の想定全細孔容積を達成するように調節される。
【００６１】
所与のベーマイトについて、細孔形成剤の量を増量させると、細孔容積が増えかつ機械強度が低下することになる。所与のベーマイト／細孔形成剤の量について、本発明は、Ｄ９０／Ｄ５０比によって表される、マクロ細孔の分布を最適にして、その結果、改善された平均粒子圧潰強度（ＧＣＳ）値がもたらされ、それ故に、改善された機械強度が得られることを提案する。
【００６２】
工程ａ）の懸濁液は、酸水溶液に１種以上のタイプのベーマイト粉体を加えたものを、激しい撹拌を伴って混合することによって調製される。
【００６３】
ベーマイト懸濁液の調製の間に、アルミナのチャージ（charge）を加えることが可能である。Ａｌ２Ｏ３の重量％として表される、採用されるチャージの量は、懸濁液中のＡｌ２Ｏ３の全等価重量に対して３０重量％以下である。このチャージは、遷移アルミナとして知られており、少なくとも１種のロー、カイ、エータ、ガンマ、カッパ、シータ、デルタおよびアルファ相を含むアルミナによって形成される群から選択されてよい。アルミナチャージは、形付けされたアルミナ体を粉砕・篩い分けすることによって得られたアルミナの粉体の形態または粒子の形態であってよい；粉砕の後、これらの粒子の平均径は５０μｍ以下、好ましくは３０μｍ以下、より好ましくは２０μｍ以下である。本明細書において用いられた場合の用語「中位径」は、容積による粒子の５０％がより大きな径を有し、５０％がより小さい径を有するような等価な球状の径を示す。
【００６４】
懸濁液中に入れられる酸の量は、ベーマイト源またはチャージのものへの複数種の源（懸濁液中に存在する場合）の乾燥物に対する前記酸の質量の比が、０．５〜２０重量％の範囲内、好ましくは１〜１５重量％の範囲内であるようにされる。例として、酸水溶液は、ＨＮＯ３またはＨ２ＳＯ４等の強鉱酸の溶液である。
【００６５】
懸濁液中に入れられる水の割合は、乾燥物（Ａｌ２Ｏ３の当量で表される、ベーマイト粉体プラスあらゆるチャージの質量に相当する）対混合物の水の全質量の比が１０〜５０重量％の範囲内、好ましくは１５〜４０重量％の範囲内であるように計算される。
【００６６】
場合によっては、懸濁液は、第ＩＡ族、第ＩＩＡ族、第ＩＩＩＡ族、第ＩＶＡ族、第ＶＡ族から選択される１種以上の元素の塩を含んでよく、これらは、以下に記載される触媒におけるプロモータとして作用する。これらの元素は、それ故に、乾燥および焼成の後に最終球状粒子に組み入れられることになる。金属性塩（単数種または複数種）の割合は、焼成後の最終生成物中の第ＩＡ族、第ＩＩＡ族、第ＩＩＩＡ族、第ＩＶＡ族、第ＶＡ族からの元素の重量による量が、０．０１〜２重量％の範囲内、好ましくは０．０５〜１重量％の範囲内であるように計算される。
【００６７】
上記調製方法の工程ｂ）において、０．０５〜３０μｍの範囲内の粒子サイズを有する固体細孔形成剤が工程ａ）において得られた懸濁液に加えられる。
【００６８】
固体細孔形成剤は、単独でまたは溶媒中に分散させられて加えられてよい。
【００６９】
溶媒中に分散させられてそれが加えられる場合、溶媒は、水または有機相であってよい（非混和性の有機相が、グリース、油および鉱物蝋、脂肪、炭化水素およびオイルカットから選択されてよい）。好ましくは、有機相は、直鎖パラフィンおよびイソパラフィンによって形成されかつ２２０〜３５０℃の範囲内の沸点を有する１０〜１４個の炭素原子を含有するパラフィン性留分である。好ましくは、溶媒は水である。
【００７０】
固体細孔形成剤は、デンプン（米、トウモロコシ、小麦、トウモロコシ、エンドウマメ等）、改変型デンプン、粉（ジャガイモ類、サツマイモ、マニオク等）、ラテックス粒子、ポリスチレン、またはアクリル、例えば、市販の生成物（Duramax（登録商標）B1000、B1014、B1007（Rohm & Haasから）、Mowilith（登録商標）（Clariantから）等）、多糖類、例えば、ブドウ糖、デキストリン、アルギナート、あるいはカーボンブラック粒子、おがくずまたは他の粉類から選択される。好ましくは、固体細孔形成剤は、デンプン、改変型デンプンおよび粉類から選択される。
【００７１】
固体細孔形成剤粒子のサイズは、０．０５μｍ（５０ｎｍ）〜３０μｍ（３００００ｎｍ）の範囲内、好ましくは１μｍ（１０００ｎｍ）〜５μｍ（５０００ｎｍ）の範囲内である。用語「サイズ」は、固体細孔形成剤の粒子の中位径を意味する。本発明によると、マクロ細孔の中位径は、細孔形成剤の選択によって、特に、固体細孔形成剤粒子のサイズの選択によって調節可能である。
【００７２】
細孔形成剤の質量対酸化物（ベーマイトおよび任意のチャージ）の全質量の比として表される固体細孔形成剤の割合は、０．２〜５０％の範囲内、好ましくは０．５〜４０％の範囲内である。
【００７３】
代替の実施形態において、せん断工程ｂ”）が、固体細孔形成剤を用いる調製方法における工程ｂ）と工程ｃ）の間に行われ、該工程において、工程ｂ）において得られた懸濁液は、１０００〜２０００００ｓ−１の範囲内のせん断速度で機能する分散機を活用して分散させられる。この工程は、工程ｂ）において得られた懸濁液中の固体細孔形成剤の粒子の脱凝集作用を向上させるために用いられ得る。
【００７４】
上記調製方法の工程ｃ）によると、工程ｂ）において得られた懸濁液は混合され、前記混合物の粘度は、２００〜７００ｍＰａ・ｓの範囲内、好ましくは２５０〜４００ｍＰａ・ｓの範囲内とされる。それ故に、溶液は、オイルドロップヘッドのノズルを通じて滴下するのに適したレオロジー特性を有する。
【００７５】
混合工程ｃ）は、所望の粘度を生じさせることができるあらゆる混合デバイスを用いて行われてよく、例えば、３枚の傾斜刃（inclined blade）を有するタイプのロータを有するものである。この工程において適用されるせん断速度は、一般的には、５０〜５００ｓ−１の範囲内である。
【００７６】
用語「粘度」は、周囲温度で、例えば、１００ｓ−１のせん断速度を有する、平行プレート型またはコーンプレート型の粘度計を用いて測定される動粘度を意味する。
【００７７】
上記調製方法の工程ｄ）によると、球状アルミナ粒子は、オイルドロップ技術としても知られているドロップ凝固によって、工程ｃ）において得られた混合物から出発して形付けされる。
【００７８】
この方法は、工程ｃ）において得られた混合物、例えば、混合物（アルミナ懸濁液＋固体細孔形成剤）を、較正されたサイズのオリフィスを有するノズルによって構成されるオイルドロップヘッドに通して液滴を形成することからなる。オイルドロップヘッドは、上部有機相と塩基性水性相によって構成される下部相とを含有するカラムの頭部に置かれる。有機相は、水の密度よりわずかに低い密度をそれが有するように選択される。
【００７９】
好ましくは、粒子に形付けするための工程ｄ）は、以下の工程：
ｄ１）  ノズルを備えたオイルドロップヘッドに混合物を移す工程であって、該ノズルのオリフィスは、液滴を形成するように較正されている、工程；
ｄ２）  重力下に混合物を、上部部分における有機相と、下部部分における塩基性水性相とを含有するカラムに滴下し、塩基性水性相の足部から球状粒子を採取する工程
を含む。
【００８０】
液滴が有機相中を通過するときに球体が形成され、その一方で、ゲル化（または凝固）が水相中で起こる。
【００８１】
塩基水性相中の粒子の界面の通過と凝固を促進するように水相に界面活性剤タイプの添加剤が加えられてよい。
【００８２】
本発明の関連において、非混和性の有機相は、グリース、油および鉱物蝋、脂肪、炭化水素およびオイルカットから選択されてよい。好ましくは、有機相は、１０〜１４個の炭素原子を含有し、直鎖パラフィンおよびイソパラフィンによって形成され、２２０〜３５０℃の範囲内の沸点を有するパラフィン性留分である。
【００８３】
塩基性水性相は、例えば、アンモニア溶液、炭酸アンモニウム溶液、アミン溶液である。好ましくは、塩基性水性相は、アンモニア溶液である。
【００８４】
尿素等の化合物が、工程ａ）の懸濁液に導入され、その後に、カラムの下部水性相において分解されてもよい。この化合物は、特許US4542113によると、粘度上昇の容易な調整を提供するために用いられ得る。
【００８５】
球状粒子の形成工程の終わりに、粒子は、水性相から回収されかつ分離され、例えば、ふるいが用いられる。出願EP 0001023において推奨されるように、この方法で形成された粒子が１回以上の成熟工程を経ることも可能である。
【００８６】
上記調製方法の工程ｅ）において、工程ｄ）において得られた粒子は、乾燥させられる。
【００８７】
本発明の方法の球状粒子を乾燥させる工程ｅ）は、４０〜１５０℃の範囲内の温度で、乾燥空気中または湿潤空気中、一般的には０．５〜２０時間にわたって行われる。乾燥の実施要綱は、場合によっては、１回以上の一定の温度段階を含んでよい。それは、場合によっては、乾燥の間に湿度を変動させることを必要としてよく、好ましくは乾燥空気の重量（ｋｇ）当たり水１０〜１０００ｇ、より好ましくは乾燥空気の重量（ｋｇ）当たり水４０〜１０００ｇである。
【００８８】
上記調製方法の工程ｆ）において、工程ｅ）において得られた粒子は、焼成される。
【００８９】
球状粒子の焼成工程ｆ）は、４５０〜９００℃の範囲内、好ましくは５５０〜８００℃の範囲内の温度で、０．５〜１２時間にわたって、好ましくは１〜８時間の範囲内、より好ましくは１〜５時間の範囲内で行われる。この焼成工程は、１回以上の一定の温度段階を含んでよい。
【００９０】
（液体細孔形成剤を用いるバリエーション）
第２のバリエーションによると、本発明はまた、本発明による球状アルミナ粒子の調製方法であって、以下の工程：
ａ）  水、酸および少なくとも１種のベーマイト粉体を含む懸濁液を調製する工程、
ｂ’）  少なくとも１種の液体細孔形成剤、少なくとも１種の界面活性剤および場合による水を、または少なくとも１種の液体細孔形成剤、少なくとも１種の界面活性剤および水を含むエマルジョンを、工程ａ）において得られた懸濁液に加える工程、
ｂ”）  １０００〜２０００００ｓ−１の範囲内のせん断速度で機能する分散機を活用して工程ｂ’）において得られた懸濁液を分散させる工程、
ｃ）  工程ｂ”）において分散させられた懸濁液を混合して、前記混合物の粘度が２００〜７００ｍＰａ・ｓの範囲内であるようにする工程、
ｄ）  工程ｃ）において得られた混合物を用いたドロップ凝固によって球状粒子に形付けする工程、
ｅ）  工程ｄ）において得られた粒子を乾燥させる工程、
ｆ）  工程ｅ）において得られた粒子を焼成する工程
を含む、方法に関する。
【００９１】
液体細孔形成剤を用いるこの調製方法の工程ａ）は、固体細孔形成剤を用いる調製方法について記載された工程ａ）と厳密に同一である。
【００９２】
上記調製方法の工程ｂ’）において、少なくとも１種の液体細孔形成剤、少なくとも１種の界面活性剤および場合による水、または少なくとも１種の液体細孔形成剤、少なくとも１種の界面活性剤および水を含むエマルジョンが、工程ａ）の懸濁液に加えられる。
【００９３】
液体細孔形成剤は、少なくとも１種の液体細孔形成剤、少なくとも１種の界面活性剤および水を含むエマルジョンの形態で加えられてよい。エマルジョンが工程ｂ’）において調製される場合、エマルジョンは、細孔形成剤、界面活性剤および水を混合することによって調製される。エマルジョン中の水の量は、混合物（ベーマイトの懸濁液およびエマルジョン）に相当する水の全量の５〜２０重量％を示す。エマルジョンは、１５〜６０℃の範囲内、好ましくは２０〜４０℃の範囲内の温度で調製される。
【００９４】
液体細孔形成剤、界面活性剤および場合による水を、ベーマイトを含有する水性懸濁液に直接的に、すなわち、初期エマルジョンを形成することなく加えることまたはそれらを同時にまたは連続的な工程において加えることも可能である。この場合、以下に記載される同じ割合の種々の成分が用いられる。
【００９５】
液体細孔形成剤は、完全には水に混和性というわけではない生成物であり、燃焼によって除去され得、周囲温度において液体である。液体細孔形成剤は、グリース、油および鉱物蝋、脂肪、炭化水素およびオイルカットから選択されてよい。例として、液体細孔形成剤は、１０〜１４個の炭素原子を含有し、直鎖パラフィンおよびイソパラフィンによって形成され、２２０〜３５０℃の範囲内の沸点を有するパラフィン性留分である。
【００９６】
細孔形成剤の質量対酸化物（ベーマイトおよび任意のチャージ）の全質量の比として表される、液体細孔形成剤の割合は、０．２〜５０重量％の範囲内、好ましくは０．５〜４５重量％の範囲内である。
【００９７】
液体細孔形成剤に取って代わる水中に混和性でない相は、界面活性剤を活用して分散させられる。特に適切な界面活性剤は、非イオン性界面活性剤またはイオン性界面活性剤であり、これらは、単独でまたは混合物として用いられる。あらゆる非イオン性の、アニオン性のまたはカチオン性の界面活性剤または乳化混合物が用いられてよく、ＨＬＢは、７〜１６の範囲内であり、水中油エマルジョンを生じさせることができる：任意の市販の調合物が挙げられてよく、例えば、Galoryl（登録商標）EM10またはOparyl（登録商標）EM10であり、または、それは、化学族、例えば、エトキシ化されてもされてなくてもよいソルビタンのエステル（例えばCRODAからのTween（登録商標）80およびSpan（登録商標）80）、エチレンオキシド（ethylene oxide：ＥＯ）／プロピレンオキシド（propylene oxide：ＰＯ）ブロック共重合体（例えばCRODAからのSynperonic（登録商標）PEL121）、エトキシ化脂肪酸またはアルコール（例えばSEPPICからのSimulsol（登録商標）ox1309LまたはSolvayからのRhodasurf（登録商標）TR/6）、エトキシ化脂肪酸エステル（例えばCRODAからのAtlas（登録商標）G1086）、エトキシ化オクチルフェノール（例えばUnion CarbideからのTRITON（登録商標）X-100）から生じさせられてよく、これらは、単独でまたは混合物として用いられる。
【００９８】
用語「ＨＬＢ」は、「hydrophilic/lipophilic balance：親水性親油性バランス」を表す。非イオン性化合物により具体的に適合させられると、この表記は、表面活性剤の分子の親水性の性質と親油性の性質との間の関係を表現し、結果として、これらの化合物の可能な適用をそれらの組成に応じて予測することができる。ＨＬＢ分類は、脂肪酸鎖と水に可溶な基との間の比によって確立され、０（完全に親油性）と２０（完全に親水性）との間で変動する。界面活性剤のＨＬＢ値は、その化学構造が完全に定義される場合に計算されてよく、または、それは、実験的に決定されてよい。ＨＬＢは、デイビススケール（Davies scale）で分類され、これは、１と２０との間で推移する。値１は、オレイン酸に対応する一方で、値２０は、オレイン酸カリウムに対応する。結論として、オレイン酸を徐々に中和することによって、１〜２０の範囲内のＨＬＢ値を有する全ての中間的混合物を得ることおよびそれらを未知のＨＬＢ値を有する他の界面活性剤と比較してそれらの特性を決定することが可能である。
【００９９】
エマルジョン中に存在する界面活性剤の割合は、界面活性剤の質量対細孔形成剤の質量の比に等しいとして規定される。この比は、１〜２５重量％の範囲内、好ましくは１〜１５重量％の範囲内、非常に好ましくは３〜１０重量％の範囲内である。
【０１００】
上記調製方法の工程ｂ”）において、工程ｂ’）において得られた懸濁液は、１０００〜２０００００ｓ−１の範囲内のせん断速度で機能する分散機を用いて分散させられる。
【０１０１】
用語「せん断速度」は、せん断のスピードを意味する。工程ｂ”）において得られた懸濁液に規定されたようなせん断速度の適用は、比Ｄ９０／Ｄ５０によって表されるマクロ細孔分布を最適にするために用いられ得、これにより、改善された平均粒子圧潰強度値（ＧＣＳ）およびそれ故に改善された機械強度がもたらされる。この工程ｂ”）の間に前記混合物に適用されるせん断速度により、液体細孔形成剤は、懸濁液に含まれるアルミナマトリクス中に分散させられ得る。実際に、この工程の間に、混合物中に含有される液体細孔形成剤は、前記混合物中に含有される前記アルミナマトリクス（ベーマイト）中に、実質的に均質なサイズの小液滴の形態で均質に分散させられ、焼成の後に、機械強度の改善の要因であるマクロ細孔性が発生する。
【０１０２】
工程ｂ”）における分散は、当業者に知られている任意のバッチ式または連続式のダイナミックミキサを活用する任意の適切な手段を用いて行われてよい。回転式撹拌器によって構成されたデバイスが特に適しており、この回転撹拌器は、１以上のロータを含み、このロータは、シャフト上に固定され、このシャフトは、１０３〜１０９Ｗ／ｍ３程度、より特定的には１０６〜１０８Ｗ／ｍ３程度の単位容積当たりの力を放散する。せん断は、ロータの特徴、特にその幾何学的形状に依存する。このタイプのデバイスは、例えば、ロータ・ステータミキサ（rotor and stator mixer）（例えば、商標Ultramix（登録商標）の下でVMIRayneriによって販売されているもの）、コロイダルミル、高圧ホモジナイザ、あるいは、超音波デバイスである。
【０１０３】
用語「せん断」は、「せん断速度」または「速度勾配（velocity gradient）」を意味するとして理解されるべきであり、これらは、当業者にとって２つの同義表現である。撹拌タンクにおける「平均速度勾配」の観念は、例えば、Michel Roustan、Jean-Claude Pharamond、Alain Lineによる出版物「Techniques de l'ingenieur, traite Genie des Procedes - J3 800 , page 13」中の論文「Agitation Melange - concepts theoriques de base」［混合および撹拌−基礎的な理論概念］に定義される。この観念は、例えば、特許US 6 638 918において用いられており、この特許には、先行する参照と同様にそれが記載されている。それ故に、分散した媒体中の平均せん断（Γmean）は、以下の式で表され得る：
【０１０４】
【数１】
2016210678.tif 000002
【０１０５】
式中、ｋは、比例定数であり、ミキサの刃のタイプおよびミキサタンクの外形に依存し、Ｎは、撹拌ローラのスピード（ｓ−１）である。Γmeanは、ｓ−１で表される。式：
【０１０６】
【数２】
2016210678.tif 000003
【０１０７】
によって表される周速度は、せん断のこの観念と関連し、式中、Ｄは、メートルで表される撹拌ロータの径であり、Ｎは、ｓ−１で表されるそれらの回転スピードである。
【０１０８】
本発明によると、用語「せん断下の混合」は、典型的には４ｍｓ−１超、好ましくは１０ｍｓ−１超、一層より好ましくは１０〜４０ｍｓ−１の範囲内の周速度で撹拌することによって生じた分散を意味し、これは、分散した媒体にせん断速度を与え、これは、典型的には１０００〜２０００００ｓ−１の範囲内、好ましくは１３００〜２００００ｓ−１の範囲内である。
【０１０９】
せん断の所望のレベルに応じて、当業者は、適切な幾何学的形状を有する撹拌システムを用いることおよび所望の回転の速度およびせん断のレベルに達するのに十分な回転スピードでそれを用いることができるだろう。撹拌システムの性質および反応器のサイズに応じて、回転速度は、例えば１００〜３００００ｒｐｍの範囲内であってよい。
【０１１０】
当業者は、容易に、この操作様式を推定することおよびそれを同一タイプの他のツールに置き換えることができるだろう。例として、当業者は、撹拌機のタイプおよび発生する電力に応じた平均液滴サイズをターゲットにするために、C.Dalmazzoneによる論文Generation mecanique des emulsions［Mechanical emulsion generation：機械的エマルジョン発生］、Oil & Gas Science Technology, 55, 2000, n°3, pp. 281-305に向かうことができるだろう。
【０１１１】
バッチ分散の場合、工程ｂ”）における分散は、１〜６０分の範囲内、好ましくは１〜３０分の範囲内、より好ましくは１〜１５分の範囲内、より特定的に好ましくは１〜５分の範囲内の期間にわたって行われる。
【０１１２】
工程ｂ”）において分散が生じる際の温度は、２０〜４５℃の範囲内、好ましくは２０〜４０℃の範囲内である。しかしながら、界面活性剤が品質劣化するかもしれない場合にはシステムを加熱することを避けるように注意がなされるべきである。
【０１１３】
液体細孔形成剤を用いる本調製方法の混合工程ｃ）、形付け工程ｄ）、乾燥工程ｅ）および焼成工程ｆ）は、固体細孔形成剤を用いる調製方法について記載された工程ｃ）、ｄ）、ｅ）およびｆ）と厳密に同一である。
【０１１４】
（固体細孔形成剤と液体細孔形成剤とを用いるバリエーション）
上記の調製方法の２つのバリエーションが、記載されたように単独で、または、技術的および実際的な制約に応じた他の混成の調製実施形態をもたらすように混合して行われてよい。
【０１１５】
一実施形態では、液体細孔形成剤を用いる調製方法において、０．０５〜３０μｍの範囲内の粒子サイズを有する少なくとも１種の固体細孔形成剤が工程ｂ’）の懸濁液に加えられる。この場合、本調製方法は、固体細孔形成剤および液体細孔形成剤の存在下に実施される。この調製方法は、それ故に、三峰性の細孔性（ベーマイトの板状晶の組織化に由来するメソ細孔性および２つのサイズのマクロ細孔性、一つは、液体細孔形成剤によって提供され、他方は、固体細孔形成剤によって提供される）を有してよい球状アルミナ粒子を得るために用いられ得る。
【０１１６】
（触媒担体としての球状アルミナ粒子の使用）
球状アルミナ粒子は、触媒反応のための触媒担体として、特に、ガソリンの接触改質において適用されるものである。
【０１１７】
接触改質方法は、原油の直留蒸留および／または他の精製方法、例えば、接触分解、熱分解等からのガソリンフラクションのオクタン価を大きく増大させるために用いられ得る。接触改質方法は、蒸留によって得られた重質ガソリンを品質向上させるために精製業者によって非常に広範に用いられている方法である。分子当たり約５〜１２個の炭素原子を含有する、重質ガソリン供給原料の炭化水素（特に、パラフィンおよびナフテン）は、この方法の間に芳香族炭化水素および分枝パラフィンに変換される。この変換は、高温（平均で４８０〜５２０℃の範囲内）、低圧から中間圧（０．２〜２．５ＭＰａ）で、および触媒の存在下に得られる。接触改質により、リフォメートが生じ、これは、オイルカットのオクタン価を大きく改善するために用いられ得、それは、水素を生じさせる。リフォメートは、主に、Ｃ５＋化合物（少なくとも５個の炭素原子を含有する）によって形成される。
【０１１８】
接触改質の間に処理される典型的な供給原料は、パラフィン性、ナフテン性および芳香族性の炭化水素を含み、これらは、分子当たり５〜１２個の炭素原子を含有するものである。この供給原料は、特に、その密度およびその重量組成によって規定される。この供給原料は、本発明の触媒と、３００〜７００℃の範囲内、好ましくは３５０〜５５０℃の範囲内、より好ましくは３８０〜５３０℃の範囲内の温度で接触させられる。処理される供給原料の質量流量／触媒の単位質量は、０．１〜１０ｋｇ／（ｋｇ・ｈ）の間、好ましくは０．５〜６ｋｇ／（ｋｇ・ｈ）の範囲内で変動してよい。操作圧力は、大気圧（０．１ＭＰａ）と４ＭＰａとの間、好ましくは０．２〜３ＭＰａの範囲内に固定されてよい。生じた水素の一部は、リサイクルされて、リサイクルされた水素対炭化水素供給原料のモル比：０．１〜１０の範囲内、好ましくは１〜８の範囲内が得られる。
【０１１９】
改質触媒は、細孔性固体であり、一般的に、担体としての非常に高い純度のアルミナ、塩素、白金および少なくとも１種の追加金属を含み、追加金属は、第ＩＡ族、第ＩＩＡ族、第ＶＩＢ族、第ＶＩＩＩＢ族、第ＩＩＩＡ族および第ＩＶＡ族からの金属によって形成される群から選択される。これらは、二機能性触媒である。すなわち、それらは、２種の機能基である、金属性の機能基および酸機能基によって構成され、機能基のそれぞれは、触媒の活性において明確な役割を有している。金属性の機能基は、必然的に、ナフテンおよびパラフィンの脱水素およびコークス前駆体の水素化を保証する。酸機能基は、ナフテンおよびパラフィンの異性化およびパラフィンの環化を保証する。酸機能基は、担体自体、通常には、ハロゲン化した高純度アルミナによって提供される。金属性の機能基は、白金族からの貴金属および少なくとも１種の追加金属、連続的方法（移動床）の場合には主としてスズおよび半再生方法（固定床）の場合には主としてレニウムによって提供される。
【０１２０】
本発明はまた、周期律表の第ＶＩＩＩＢ族から選択される少なくとも１種の貴金属、特に、白金を、本発明の球状アルミナ粒子によって形成された担体上に沈着させられて含む触媒に関する。本発明の触媒中の貴金属の量は、０．０２〜２重量％の範囲内、好ましくは０．０５〜１．５重量％の範囲内、より好ましくは０．１〜０．８重量％の範囲内である。
【０１２１】
本発明の触媒は、場合によっては、元素周期律分類の第ＩＡ族、第ＩＩＡ族、第ＩＩＩＡ族、第ＩＶＡ族、および第ＶＡ族から選択される少なくとも１種のプロモータを含んでもよい。これらのプロモータ元素は、触媒中に、酸化物として表される量；一般的には、触媒の重量で０．０１〜２％の範囲内、好ましくは０．０５〜１重量％の範囲内で存在する。
【０１２２】
本発明の触媒は、好ましくは、フッ素、塩素、臭素およびヨウ素によって構成される群から選択されるハロゲン化化合物を含んでもよい。ハロゲン化化合物の量は、焼成後の触媒の重量で、一般的に０．１〜８％の範囲内、好ましくは０．２〜５重量％の範囲内である。好ましくは、ハロゲン化化合物は塩素である。
【０１２３】
触媒は、例えば、FR2932101またはEP 2 441 516に記載されているような当業者に知られている調製方法を用いて調製される。
【０１２４】
一実施形態によると、前記粒子の形成の間に「プロモータ」と称される元素を組み入れることが可能である。この目的のために、元素周期律分類からの第ＩＡ族、第ＩＩＡ族、第ＩＩＩＡ族、第ＩＶＡ族、第ＶＡ族から選択される１種以上の元素の可溶な塩が、ベーマイト粉体の水性懸濁液に加えられる。別の実施形態によると、プロモータの全部または一部を、すでに成形された担体に、例えば、含浸によって組み入れることが可能である。
【０１２５】
接触改質において触媒を用いる前に、それは、水素中の処理を経て、当業者に知られている操作条件下に活性である金属相が得られる。
【０１２６】
例として、オイルカットを改質するための触媒としての使用のための触媒は、白金、スズ（場合によっては他の金属）および塩素を、本発明による球状アルミナ担体上に沈着させられて含んでよい。
【０１２７】
最後に、触媒は、炭化水素または他の有機化合物の水蒸気改質、分解、水素化分解、水素化、脱水素、または脱水環化において適用されるものであってもよい。このタイプの触媒は、連続的な移動床接触改質方法において特に適用されるものである。
【０１２８】
（実施例）
下記実施例１〜４の全てにおいて、オイルドロップ方法のために用いられる、ベーマイトおよび細孔形成剤の懸濁液の混合物を調製するための段階（分散工程ｂ”））のみが異なっている。この配合段階の後、系は、オイルドロップ方法に適合したレオロジー特性を有する懸濁液（粘度：２５０ｍＰａ・ｓ）が得られるまで３傾斜刃ロータによる６００ｒｐｍでの撹拌を経る（混合工程ｃ））。粘度は、コーンプレート型粘度計を活用してせん断速度１００ｓ−１で測定された。
【０１２９】
オイルドロップカラムは、２８ｇ／Ｌの濃度のアンモニア性溶液および細孔形成剤として用いられるものと同一のオイルカットによって構成される有機溶液を装填され、エマルジョンが調製された（上部層としての有機相）。懸濁液は、較正されたノズルを用いて滴下された。ビーズ状物が、カラムの底部から回収され、１２０℃で１２時間にわたって通風オーブン中に置かれた。それらは、次いで、乾燥空気中６５０℃で３時間にわたって焼成された。
【０１３０】
これらの実施例の全てについて、テクスチャ特徴（textural characteristics）は同等であり、調製および材料の機械的特性に関するＤ９０／Ｄ５０比の最適化の影響力が立証された。それ故に、これらの実施例は、制限するものではなく、異なる細孔形成剤の量／テクスチャを有する他のシステムに推定され得るだろう。
【０１３１】
（実施例１（比較））
実施例１の担体は、Sasolによって販売されているPural SB3タイプのベーマイトを用いて調製された。
【０１３２】
２０％の鉱物材料（Ａｌ２Ｏ３の重量％として表される）を含有する懸濁液が、体積測定中位径５０μｍを有するγアルミナのチャージとPural SB3ベーマイト粉体とを、３．６重量％のＨＮＯ３／Ａｌ２Ｏ３を含有する酸性水溶液中で混合することによって調製された。
【０１３３】
固体部分であるＡｌ２Ｏ３は、８８重量％のベーマイトおよび１２％のγアルミナから構成されていた。この懸濁液は、さらに、細孔形成剤および界面活性剤を含有していた。細孔形成剤は、１０〜１２個の炭素原子を含有するパラフィンの混合物を含む有機相であり、沸点は、約２９０℃であり、密度は、０．７５ｇ／ｃｍ３であった。界面活性剤は、Galoryl（登録商標）EM10であり、これは、市販の乳化剤であった。これらの化合物は、以下の割合で導入された：細孔形成剤／水の重量による割合＝９．４％および界面活性剤／細孔形成剤の重量による割合＝６％。
【０１３４】
この実施例において、化合物の全てを加えた後に、懸濁液は、直接的な混合を経て、混合物の粘度が２５０〜４００ｍＰａ・ｓの範囲内であるようにされた。この粘度において、懸濁液は、ノズルを通じて滴下するのに適したレオロジー特性を有していた。この実施例（本発明に合致していなかった）において、分散工程ｂ”）は、それ故に、行われなかった。乾燥および焼成の後に得られたビーズ状物の特徴は、表１に与えられる。
【０１３５】
（実施例２（本発明に合致する））
材料の組成は、実施例１におけるのと同一であった。この実施例では、工程ｂ”）の乳化条件（継続期間、塗布されるスピード）が調節された。この実施例では、化合物の全てを加えた後に、懸濁液は、ロータ／スタータデバイス中を通され、このデバイスにおいて、せん断速度は、５分にわたって１４００ｓ−１であった。次に、懸濁液は、撹拌されて、混合物の粘度が２５０〜４００ｍＰａ・ｓの範囲内であるようにされた。この粘度において、懸濁液は、ノズルを通じて滴下するのに適したレオロジー特性を有していた。乾燥および焼成の後に得られたビーズ状物の特徴が、表１に与えられる。
【０１３６】
同一のテクスチャ特性について、分散システム（工程ｃ）なしで調製された実施例１のビーズ状物と比較した機械強度における改善が、比Ｄ９０／Ｄ５０における低減と結び付けられたことが留意されるべきである。
【０１３７】
（実施例３（本発明に合致する））
材料の組成は、実施例１におけるのと同一であった。この実施例では、工程ｂ”）の乳化条件（継続期間、塗布されるスピード）が調節された。この実施例では、化合物の全てを加えた後に、懸濁液は、ロータ／スタータデバイス中を通され、このデバイスにおいて、せん断速度は、５分にわたって５０００ｓ−１であった。次に、懸濁液は、撹拌されて、混合物の粘度が２５０〜４００ｍＰａ・ｓの範囲内であるようにされた。この粘度において、懸濁液は、ノズルを通じて滴下するのに適したレオロジー特性を有していた。乾燥および焼成の後に得られたビーズ状物の特徴は、表１に与えられる。
【０１３８】
分散システムにおいて実施例２と比べてせん断速度を増加させることは、比Ｄ９０／Ｄ５０が低減させられ得るだろうことを意味し、これは、機械強度について直接的な結論を有しており、それは、改善させられたことが留意されるべきである。
【０１３９】
（実施例４（本発明に合致する））
材料の組成は、実施例１におけるのと同一であった。この実施例では、工程ｂ”）の乳化条件（継続期間、塗布されるスピード）が調節された。この実施例では、化合物の全てを加えた後に、懸濁液は、ロータ／スタータデバイス中を通され、このデバイスにおいて、せん断速度は、１分３０秒にわたって５０００ｓ−１であった。次に、懸濁液は、撹拌されて、混合物の粘度が２５０〜４００ｍＰａ・ｓの範囲内にあるようにされた。この粘度において、懸濁液は、ノズルを通じて滴下するのに適したレオロジー特性を有していた。乾燥および焼成の後に得られたビーズ状物の特徴は、表に与えられる。
【０１４０】
同一のせん断速度について、実施例３と比較した乳化期間を低減させたことより、比Ｄ９０／Ｄ５０が増加し、これは、わずかに品質劣化した機械強度について直接的な結論を有していたことが留意されるべきである。
【０１４１】
実施例５〜８には、固体細孔形成剤の存在下、場合によっては、液体細孔形成剤との混合物としての固体細孔形成剤の存在下での、本発明による、ビーズ状物とも称される粒子の調製が記載されている。
【０１４２】
（実施例５（本発明に合致する））
デンプン（Ａｌ２Ｏ３に対して２５重量％）を水中に懸濁させ、これを、実施例１のコロイド状態に分散したベーマイトの懸濁液に加えた。懸濁液は、撹拌されて、混合物の粘度が２５０〜４００ｍＰａ・ｓの範囲内にされた。この粘度において、懸濁液は、ノズルを通じて滴下するのに適したレオロジー特性を有していた。乾燥および焼成の後に得られたビーズ状物の特徴が表１に与えられる。
【０１４３】
比Ｄ９０／Ｄ５０は、３程度のものであり、用いられるデンプンの供給源と直接的に関連し、改善されたＧＣＳを得ることを可能にした。
【０１４４】
（実施例６（本発明に合致する））
この実施例では、マクロ細孔性が、トウモロコシデンプンにより５０％に増加させられ、実施例１に記載されたようなエマルジョンにより５０％に増加させられた。
【０１４５】
この実施例では、化合物の全てを加えた後に、懸濁液は、ロータ／スタータデバイス中を通され、このデバイスにおいて、せん断は、５分にわたって１００００ｓ−１であった。次に、懸濁液は、撹拌されて、混合物の粘度が２５０〜４００ｍＰａ・ｓの範囲内であるようにされた。この粘度において、懸濁液は、ノズルを通じて滴下するのに適したレオロジー特性を有していた。乾燥および焼成の後に得られたビーズ状物の特徴は、表に与えられる。
【０１４６】
比Ｄ９０／Ｄ５０は、２．６１であり、ＧＣＳは、改善された。
【０１４７】
（実施例７（本発明に合致する））
この実施例では、マクロ細孔性が、米デンプンにより５０％に増加させられ、かつ、実施例１に記載されたようなエマルジョンにより５０％に増加させられた。
【０１４８】
この実施例では、化合物の全てを加えた後に、懸濁液は、ロータ／スタータデバイス中を通され、このデバイスにおいて、せん断は、５分にわたって１００００ｓ−１であった。次に、懸濁液は、撹拌されて、混合物の粘度が２５０〜４００ｍＰａ・ｓの範囲内にあるようにされた。この粘度において、懸濁液は、ノズルを通じて滴下するのに適したレオロジー特性を有していた。乾燥および焼成の後に得られたビーズ状物の特徴は、表に与えられる。
【０１４９】
比Ｄ９０／Ｄ５０は、３．５５であり、ＧＣＳは改善された。
【０１５０】
（実施例８（本発明に合致する））
この実施例では、マクロ細孔性は、米デンプンにより２５％に、実施例１において記載されたようなエマルジョンにより７５％に増加させられた。
【０１５１】
懸濁液は、撹拌されて、混合物の粘度が２５０〜４００ｍＰａ・ｓの範囲内であるようにされた。この粘度において、懸濁液は、ノズルを通じて滴下するのに適したレオロジー特性を有していた。乾燥および焼成の後に得られたビーズ状物の特徴は、表１に与えられる。
【０１５２】
比Ｄ９０／Ｄ５０は、２．９０程度のものであり、用いられたデンプン源に直接的に関連しており、ＧＣＳは、改善された。
【０１５３】
【表１】
2016210678.tif 000004
【外国語明細書】
2016210678000001.pdf